(57)【要約】【課題】挿入したＣＤが標準規格外に属するＣＣＣＤであるときには報知し、装置が故障というユーザの誤認を防止する。【解決手段】挿入されたＣＤ１１に記録されているＴＯＣ情報およびトラック情報をもとに、挿入されたＣＤが標準規格に基づくＣＤか否かを第１のマイコン１６の第１の制御部１６ｂが判断し、この判断が標準規格に基づくＣＤでないときには第１の通信部１６ａから第２の通信部２２ｃおよび第２の制御部２２ｂを経てＬＣＤ２３より標準規格外に属するＣＣＣＤであることを報知する。【選択図】        図１
2005004838.tif 000002
【特許請求の範囲】
【請求項１】
挿入されたコンパクトディスクのリードインエリアに記録されたＴＯＣ情報およびトラックに記録されたトラック情報を読み取り、再生するディスク再生装置において、
ディスクの記録情報に基づき、挿入されたコンパクトディスクが標準規格に基づくコンパクトディスクか否かを判断する規格判断手段と、前記規格判断手段による判断が標準規格に基づくコンパクトディスクでないときには標準規格外のコンパクトディスクとして報知する報知手段とを備えたことを特徴とするディスク再生装置。
【請求項２】
挿入されたコンパクトディスクのリードインエリアに記録されたＴＯＣ情報およびトラックに記録されたトラック情報を読み取り、再生するディスク再生装置において、
前記トック情報およびトラック情報をもとに、挿入されたコンパクトディスクが標準規格に基づくコンパクトディスクか否かを判断する規格判断手段と、前記規格判断手段による判断が標準規格に基づくコンパクトディスクでないときには標準規格外のコンパクトディスクとして報知する報知手段とを備えたことを特徴とするディスク再生装置。
【請求項３】
規格判断手段は、ＴＯＣ情報が、所定フレーム数ごとに同一内容のデータを３回繰り返す構成でないときには標準規格に基づくコンパクトディスクでないと判断することを特徴とする請求項１または請求項２記載のディスク再生装置。
【請求項４】
規格判断手段は、ＴＯＣ情報におけるトラック数のデータとトラック情報におけるトラック数のデータとが一致しないときには標準規格に基づくコンパクトディスクでないと判断することを特徴とする請求項１または請求項２記載のディスク再生装置。
【請求項５】
規格判断手段は、再生データのない無音トラックが存在するときには標準規格に基づくコンパクトディスクでないと判断することを特徴とする請求項１または請求項２記載のディスク再生装置。
【請求項６】
規格判断手段は、トラック情報におけるサブコードＱチャンネルのトラック内経過時間のデータが連続した時間のデータでないときには標準規格に基づくコンパクトディスクでないと判断することを特徴とする請求項１または請求項２記載のディスク再生装置。
【請求項７】
規格判断手段は、ＴＯＣ情報における再生時間のデータとトラック情報における再生時間のデータとが一致しないときには標準規格に基づくコンパクトディスクでないと判断することを特徴とする請求項１または請求項２記載のディスク再生装置。
【発明の詳細な説明】
【０００１】
【発明の属する技術分野】
この発明は再生するコンパクトディスク（以下、「ＣＤ」とする）がＣＤの標準規格に適合したものか否かを判断し、標準規格外のＣＤについては報知するディスク再生装置に関するものである。
【０００２】
【従来の技術】
高音質のオーディオ用ＣＤは、国際規格（ＩＥＣ）および日本工業規格（ＪＩＳ）等で性能や特性が規格化されており、通称「レッドブック（Ｒｅｄ  Ｂｏｏｋ）」と称する規格書にこの規格が記載されている。以下、この規格を「標準規格」と記す。
従来、ＣＤのコピーコントロールは上記標準規格に準拠した範囲内で行われていた。すなわち、この標準規格上ではトラック領域に記録するサブコードＱチャンネル情報データ中の４ビットからなるコントロールデータ部分に「００１０」が入れば複製許可、「００００」であれば複製不許可と規定している。
【０００３】
しかし、近年のパソコンの普及に伴いこのパソコンのＣＤ−ＲＯＭドライブによる不法な複製や再生が増大している。
この不法な複製等に対処するため、上記標準規格を拡大解釈し、この標準規格を逸脱した方法によるコピーコントロールを施した、いわゆる「ＣＣＣＤ（Ｃｏｐｙ  Ｃｏｎｔｒｏｌ  Ｃｏｍｐａｃｔ  Ｄｉｓｃ）」と称されるＣＤが多く出現してきている。
なお、上記ＣＣＣＤはいわゆる海賊版といった違法なＣＤという性格のものではなく、標準規格から外れたＣＤといえるものである。
このＣＣＣＤに属し、パソコン等による不法な複製等に対処した従来の技術として、前述のサブコードＱチャンネル情報データ中のコントロールデータ部分に「００１０」と「００００」とを交互に繰り返し入れることで複製を防止したものがある（例えば、特許文献１参照）。
【０００４】
【特許文献１】
特開２０００−２１５４６１号公報
【０００５】
【発明が解決しようとする課題】
従来の不法なＣＤ複製の防止については以上のように対処され、ＣＤの標準規格を拡大解釈して対処したＣＣＣＤと称するものであった。
このため、一部のディスク再生装置ではＣＣＣＤが再生できないという不都合が発生している。特に、車載用のディスク再生装置の一部にはナビゲーション機能と一体化したものが増加しており、この場合、地図データ等を読み込むためにパソコン用ＣＤ−ＲＯＭドライブを採用している例がある。このような装置ではＣＣＣＤが再生できない場合がある。
このような再生不可の原因はＣＣＣＤが本来の標準規格から外れているためであってディスク再生装置の問題ではないが、ユーザはこの原因がディスク再生装置の故障によるものと誤認する場合が多い。この誤認により、ディスク再生装置の品質に対する信頼性が損なわれているという課題があった。
【０００６】
この発明は上記のような課題を解決するためになされたもので、挿入したＣＤがＣＣＣＤであるときには標準規格外のＣＤであることをユーザに報知して装置故障との誤認を防止し、装置の品質に対する信頼性が損なわれることのないようにしたディスク再生装置を得ることを目的とする。
【０００７】
【課題を解決するための手段】
この発明に係るディスク再生装置は、ディスクの記録情報に基づき、挿入されたＣＤが標準規格に基づくＣＤか否かを判断する規格判断手段と、前記規格判断手段による判断が標準規格に基づくＣＤでないときには標準規格外のＣＤとして報知する報知手段とを備えたものである。
【０００８】
【発明の実施の形態】
以下、この発明の実施の一形態を説明する。
実施の形態１．
図１はこの発明の実施の形態１によるディスク再生装置の構成を示すブロック図、図２は挿入されたＣＤが標準規格のＣＤか否かの判断のフローチャート、図３および図４はディスクの記録情報としてＣＤ最内周のリードインエリア領域に記録されているトック（ＴＯＣ：Ｔａｂｌｅ  ｏｆ  Ｃｏｎｔｅｎｔｓ）（以下、「ＴＯＣ」とする）情報のデータ構造図、図５〜図７はトラック領域に記録されているサブコードＱチャンネルのデータ構造図である。
【０００９】
図１において、ディスク再生装置はＣＤデッキ部１、オーディオセット部２および左右の各スピーカ３，４で構成される。
ＣＤデッキ部１は、ＣＤ１１が挿入され、このＣＤ１１から情報を読み取るピックアップ１２ａを備えたメカ部１２、メカ部１２にＣＤ１１が挿入されたことを検知するディスク検知部１３、ＣＤデッキ部１のサーボ制御と信号の処理を行うＤＳＰ（Ｄｉｇｉｔａｌ  Ｓｉｇｎａｌ  Ｐｒｏｃｅｓｓｏｒ）ＩＣ１４、このＤＳＰＩＣ１４からのサーボ制御信号に基づきメカ部１２を駆動するモータードライバＩＣ１５、第１の通信部１６ａおよびＣＤデッキ部１の全体を制御するとともに規格判断手段としての第１の制御部１６ｂとを備えた第１のマイクロコンピュータ（以下、「マイコン」とする）１６とを有する。
【００１０】
また、オーディオセット部２は、ＰＬＡＹ（プレイ）ボタン２１、このＰＬＡＹボタン２１が押されたことを検知するキー検知部２２ａと、第２の制御部２２ｂ、および第２の通信部２２ｃとを備えた第２のマイコン２２、報知手段としてのＬＣＤ（液晶ディスプレー）２３、ＣＤデッキ部１からの再生音声データについて制御する音声制御部２４、音声増幅しスピーカ３，４を駆動する増幅部２５とを有する。
【００１１】
次に、図１の動作を図２のフローチャートに従い図３〜７を参照しながら説明する。
【００１２】
図２において、ステップＳＴ１では、ＣＤデッキ部１のメカ部１２にＣＤ１１が挿入され、およびＰＬＡＹボタン２１が押されたかを判断する。
この判断は第１のマイコン１６の第１の制御部１６ｂが入力される下記の信号から判断する。
ＣＤ１１が挿入された場合、ディスク検知部１３で検知され、その検知信号は第１の制御部１６ｂへ入力する。
また、ＰＬＡＹボタン２１が押された場合、第２のマイコン２２のキー検知部２２ａで検知され、同マイコン２２の第２の制御部２２ｂが第２の通信部２２ｃよりこの検知信号を第１のマイコン１６の第１の通信部１６ａへ送信し、同通信部１６ａから第１の制御部１６ｂへ入力する。
上記判断でＣＤ１１が挿入され、およびＰＬＡＹボタン２１が押されていればステップＳＴ２へ進む。
【００１３】
ステップＳＴ２では、第１の制御部１６ｂは、ＤＳＰＩＣ１４を介しモータードライバＩＣ１５を制御してメカ部１２を駆動し、ピックアップ１２ａによりディスク１１からＴＯＣ情報を読み取らせる。このピックアップ１２ａで読み取られたＴＯＣ情報はＤＳＰＩＣ１４を経て第１の制御部１６ｂへ入力し、第１の制御部１６ｂは入力されたこのＴＯＣ情報をチェックする。
【００１４】
ここで、ＴＯＣについて説明する。
オーディオ用のＣＤはその外形が１２ｃｍまたは８ｃｍであり、ディスクの内周側から外周側へ向かって連続したラセン状のトラックパスが設けられ、このトラックパスに各種情報のデータがフレーム構成で記録されている。なお、各フレームには内周側から連番のフレーム番号が付される。
また、情報の記録領域は最内周のリードインエリア、このリードインエリアに次いで外周側へ向かうプログラムエリア、およびこのプログラムエリアに次ぐ外周側のリードアウトエリアの３エリアに大別できる。
上記リードインエリアにはＴＯＣ情報が必ず記録される。
また、プログラムエリアは複数のトラックに分けられ、通常は各トラックが１曲の音楽に対応する。これら各トラックには本来の音楽等のデータの他に各種（チャンネル）のサブコードが記録されている。
【００１５】
リードインエリアに記録されるＴＯＣ情報は楽曲の目次データ等を収納したＣＤのインデックスにあたるもので、図３に示すような各種データで構成される。同図において、各四角部分それぞれが８ビットで形成され、合計７２ビットのデータである。
なお、図３中の「ポイント」は最初のトラックの開始点を起点として最終トラックに亘り設けた位置データを意味し、「経過時間」は各トラック内の経過時間を意味し、「絶対時間」はポイントで示された各トラックの開始点までの時間を意味する。「ＰＦＲＡＭＥ」は１秒をさらに７５等分した単位である。
図４は上記図３中の「ポイント（ＰＯＩＮＴ）」および「ポイントの内容の絶対時間（ＰＭＩＮ，ＰＳＥＣ，ＰＦＲＡＭＥ）」と、リードインエリアに記録されているサブコーディングフレーム番号との関係のデータ例を示したものである。
なお、図中の数値は例であり、Ａ０は１曲目の位置、Ａ１は最終曲の位置、Ａ２はリードアウトエリアの開始位置を表す。
【００１６】
この図４で重要な点として、標準規格のＣＤでは図示のフレーム「ｎ＋１７」までのデータが同一データで必ず３回繰り返されることが規定されている。
これに対し、標準規格外（非標準）に属するＣＣＣＤはこの規定から外れている。例えば３回中の１回または全てが偽の情報が入ったＴＯＣである場合がある。
従って、この相違点をチェックすることにより標準規格のＣＤか標準規格外のＣＤかを判断できることとなる。即ち、同一データが３回繰り返されているか否かは標準規格のＣＤか否かの判断基準となるものである。
【００１７】
ステップＳＴ３では、第１の制御部１６ｂは、ＴＯＣが上記のように同一データが３回繰り返されているかについて判断し、同一データが３回繰り返されていれば標準規格のＣＤであるとしてステップＳＴ４へ進み、同一データが３回繰り返されていなければ標準規格外に属するＣＣＣＤである可能性が高いとしてステップＳＴ１０へ進む。このステップＳＴ１０については後述する。
【００１８】
ステップＳＴ４では、第１の制御部１６ｂは、ＤＳＰＩＣ１４を介しモータードライバＩＣ１５を制御してメカ部１２のピックアップ１２ａを作動させ、ＣＤ１１の再生を開始させる。
この再生開始により、ピックアップ１２ａはリードインエリアに次ぐトラックから情報を読み取る。
【００１９】
ステップＳＴ５では、第１の制御部１６ｂは、トラック情報中のサブコードＱチャンネルのデータに着目する。
以下、このサブコードＱチャンネルについて説明する。
【００２０】
トラックに記録されるサブコードは図５に示すように、Ｐ，Ｑ，Ｒ，…，Ｗの８種類（チャンネル）が規定されており、これらＰ〜Ｗのそれぞれに１ビットが与えられている。
また、サブコードの各チャンネル（Ｐ〜Ｗ）は９６個のシンボルで１フレームを構成している。例えばＱチャンネルであればＱ１〜Ｑ９６の９６個（ビット）で構成される。
なお、図５中の「Ｓ０」「Ｓ１」は同期データであり、「Ｓ０」は「００１００００００００００１」、「Ｓ１」は「０００００００００１００１０」のような構成のデータである。
【００２１】
上記サブコードで最も重要なものがＱチャンネルであり、Ｑ１〜Ｑ９６の９６ビットの内訳の詳細を示したものが図６である。この図６中のＱ９〜Ｑ８０の７２ビットはデータビットと称され、この７２ビットからなるデータビットの内訳の詳細を示したものが図７である。
図７に示すように、サブコードＱチャンネルのデータにはトラック番号と対応したトラック内経過時間や絶対時間等の情報が含まれている。
標準規格のＣＤではこの図７に示すデータ構造であって、かつ、この図７のデータと前記図３のＴＯＣデータとは一致することが規定されている。
これに対し、標準規格外のＣＣＣＤではこの規定から外れている。
従って、挿入されたＣＤのサブコードＱチャンネルのデータおよびＴＯＣデータとから標準規格のＣＤか標準規格外のＣＤかを判断できることとなる。
【００２２】
このステップＳＴ５では、第１の制御部１６ｂは、サブコードＱチャンネルによるトラック数がＴＯＣのトラック数と一致しているかについて判断し、一致していれば標準規格のＣＤであるとしてステップＳＴ６へ進み、一致していなければ標準規格外に属するＣＣＣＤである可能性が高いとしてステップＳＴ１０へ進む。
例えばＴＯＣの一部または全部が偽のＴＯＣであると不一致となる。
【００２３】
ステップＳＴ６では、第１の制御部１６ｂは、再生データ中に再生データが存在しない無音トラックにより無音状態になることがないかについて判断し、無音状態になることがなければ標準規格のＣＤであるとしてステップＳＴ７へ進み、無音状態になることがあれば標準規格外に属するＣＣＣＤである可能性が高いとしてステップＳＴ１０へ進む。
この無音状態を判断基準とするのは、このようなＣＣＣＤが現実に存在することが確認されていることによる。
この場合、第１の制御部１６ｂは再生データを検索し、検索できないときには上記のようにステップＳＴ１０へ進む。
【００２４】
ステップＳＴ７では、第１の制御部１６ｂは、再生中、サブコードＱチャンネルにおけるトラック内経過時間のデータが連続した時間のデータになっているかについて判断し、連続していれば標準規格のＣＤであるとしてステップＳＴ８へ進み、連続していなければ標準規格外に属するＣＣＣＤである可能性が高いとしてステップＳＴ１０へ進む。
標準規格のＣＤは前述の図７に示すトラック内経過時間が連続していることが規定されている。
これに対し、標準規格外に属するＣＣＣＤは上記時間のデータが例えば記録されていない等のために非連続となる場合がある。
【００２５】
ステップＳＴ８では、第１の制御部１６ｂは、サブコードＱチャンネルにおけるトラック内経過時間、即ち再生時間がＴＯＣのトラック内経過時間、即ち再生時間と一致しているかについて判断し、一致していれば標準規格のＣＤであるとしてステップＳＴ９へ進み、一致していなければ標準規格外に属するＣＣＣＤである可能性が高いとしてステップＳＴ１０へ進む。
例えばＴＯＣの一部または全部が偽のＴＯＣであると不一致となる。
【００２６】
ステップＳＴ９では、第１の制御部１６ｂは、挿入されたＣＤが標準規格のＣＤであると判断して正常再生を継続させる。
これにより、ピックアップ１２ａによりＣＤ１１から読み取られた再生音声データはＤＳＰＩＣ１４を経てオーディオセット部２の音声制御部２４へ入力し、増幅部２５で増幅処理後にスピーカ３，４から再生される。
【００２７】
ステップＳＴ１０では、第１の制御部１６ｂは、挿入されたＣＤが標準規格外に属するＣＣＣＤである可能性が高いと判断して規格外の表示を指令する。
第１の制御部１６ｂによる上記判断結果は第１の通信部１６ａからオーディオセット部２の第２の通信部２２ｃを経て第２の制御部２２ｂへ例えば「規格外のディスク検出」という信号で送られ、第２の制御部２２ｂが報知手段としてのＬＣＤ２３より「規格外のディスク検出」という文字表示により報知する。
【００２８】
なお、上記報知手段はＬＣＤ２３に限るものではなく、例えばＬＥＤ（発光ダイオード）の点灯または音や音声による報知であってもよい。
【００２９】
また、以上説明の図２において、ステップＳＴ３，５，６，７，８については今後のＣＣＣＤの技術動向によってはこれら５つのステップについて全て判断するのではなく、これら５つのステップのうちから適宜選択した任意のステップを組み合わせた判断フローとしてもよい。
【００３０】
以上のように、この実施の形態１によれば、ＴＯＣ情報およびトラック情報をもとに、挿入されたＣＤが標準規格に基づくＣＤか否かを第１のマイコン１６の第１の制御部１６ｂが判断し、この判断が標準規格に基づくＣＤでないときには標準規格外のＣＤとしてＬＣＤ２３より報知する構成としたので、挿入したＣＤが標準規格外に属するＣＣＣＤのために再生不可となっても装置の故障というユーザの誤認が防止でき、装置の品質に対する信頼性が損なわれることがない。
【００３１】
【発明の効果】
以上のように、この発明によれば、ディスクの記録情報に基づき、挿入されたＣＤが標準規格に基づくＣＤか否かを判断する規格判断手段と、前記規格判断手段による判断が標準規格に基づくＣＤでないときには標準規格外のＣＤとして報知する報知手段とを備えた構成としたので、挿入したＣＤが標準規格外に属するＣＣＣＤのために再生不可となっても装置の故障というユーザの誤認が防止でき、装置の品質に対する信頼性が損なわれることがない。
【図面の簡単な説明】
【図１】この発明の実施の形態１によるディスク再生装置の構成を示すブロック図である。
【図２】この発明の実施の形態１において、挿入されたＣＤが標準規格のＣＤか否かの判断のフローチャートである。
【図３】ＣＤ最内周のリードインエリア領域に記録されているＴＯＣ情報のデータ構造図である。
【図４】図３のＴＯＣ情報の一部詳細図である。
【図５】トラック領域に記録されているサブコードＱチャンネルのデータ構造図である。
【図６】図５のサブコードＱチャンネルの一部詳細図である。
【図７】図６のサブコードＱチャンネルの一部詳細図である。
【符号の説明】
１  ＣＤデッキ部、２  オーディオセット部、３，４  スピーカ、１１  ＣＤ、１２  メカ部、１２ａ  ピックアップ、１３  ディスク検知部、１４  ＤＳＰＩＣ、１５  モータードライバＩＣ、１６  第１のマイクロコンピュータ、１６ａ  第１の通信部、１６ｂ  第１の制御部、２１  ＰＬＡＹボタン、２２  第２のマイクロコンピュータ、２２ａ  キー検知部、２２ｂ  第２の制御部、２２ｃ第２の通信部、２３  ＬＣＤ、２４  音声制御部、２５  増幅部。
【図１】
2005004838.tif 000003
【図２】
2005004838.tif 000004
【図３】
2005004838.tif 000005
【図４】
2005004838.tif 000006
【図５】
2005004838.tif 000007
【図６】
2005004838.tif 000008
【図７】
2005004838.tif 000009